Podtech/llm-jp-corpus-v4-ja_patent huggingface dataset:
(57)【要約】      （修正有）【課題】長辺２辺で硬貨を挟持し、１０枚単位で硬貨を勘定する硬貨勘定器に、端数の硬貨も、早く勘定できる機能をつけ加えた硬貨勘定器を提供する。【解決手段】２辺１，２間に硬貨枚数を計測できる標識３，４，５，６，７をつけた、計測用標識物を設け、その上半分と下半分を異る模様地帯としたり、あるいは異なる色彩とすることで、硬貨５枚分の位置が明確になり、端数勘定がやりやすく、誤りを防ぐ。【選択図】図２
0003115953.tif 000002
【実用新案登録請求の範囲】
【請求項１】
コの字形の如く相対する２辺（１）（２）を有し、１辺が他の１辺より短く、辺の先端をとがらせた硬貨勘定器において、２辺間に硬貨の枚数が読みとれる計測用標識物（３）を設け、それには、辺に平行して均等巾の１０本の模様のラインを描くが、上半分の模様地帯と下半分の模様地帯の模様は、類似でないものとし、その結果、硬貨５枚分の位置が瞬時にわかり、端数の硬貨の勘定が、早く、正確にでき、１０枚単位での勘定とあわせて効率よく硬貨勘定ができる硬貨勘定器。
【請求項２】
コの字形の如く相対する２辺（１）（２）を有し、１辺が他の１辺より短く、辺の先端をとがらせた硬貨勘定器において、２辺間に硬貨の枚数が読みとれる計測用標識物（３）を設け、それには、辺に平行して均等巾の１０本の模様のラインを描くが、上半分の色彩と下半分の色彩とでは、一部あるいは全部かえ、その結果、硬貨５枚分の位置が瞬時にわかり、端数の硬貨の勘定が、早く、正確にでき、１０枚単位での勘定とあわせて効率よく硬貨勘定ができる硬貨勘定器。
【考案の詳細な説明】
【考案の詳細な説明】
【技術分野】
【０００１】  硬貨を１０枚単位で勘定することができ、端数の硬貨も勘定が早くできる硬貨勘定器に関するものである。
【背景技術】
【０００２】  長短２辺で手のひらに並べた硬貨を挟持し１０枚単位で硬貨を勘定し、端数の硬貨も勘定できる硬貨勘定器に実願２００５−２５６９がある。
黒ラインと白ラインが交互に描かれた計測用標識物が、２辺間に設けられて、そのラインの位置を見て、端数の硬貨の勘定をするものである。
【考案が解決しようとする課題】
【０００３】  実願２００５−２５６９は、１０枚ずつ硬貨を勘定するのは、迅速にでき、端数も９枚は瞬時にできるが、８枚、７枚、６枚、５枚と、まん中あたりに近ずくにつれ、黒ラインと白ラインの読みとりがすばやくはできなく、端数の硬貨勘定に欠点があった。また、目への負担も大きい。
【課題を解決する手段】
実願２００５−２５６９の硬貨勘定器の２辺の間に設けた計測用標識物の長辺に近い方から、半分までの地帯の模様と残り半分の地帯の模様とは異る模様とする。これらの模様は、目盛りの役目を果すようにするため、１０本にラインが描かれる。１０本のラインのうち長辺に近い方から半分は、５本で、この５本で１組の模様地帯とし、残りの５本は、さきの１組の模様地帯とは異る模様であり、５本で１組の模様地帯とする。
実願２００５−２５６９が、１０本で１組の模様としていたため、中ほどの５の位置６の位置が、瞬時には判断できなかったが、計測用標識物を半分ずつ異る模様地帯にし、それが目盛りとして１０本のラインを作るという２重の工夫により課題を克服することができる。
なお、模様で計測用標識物を半分ずつ区別する以外、色彩で半分ずつを変えることでも同じ効果がある。
【考案の効果】
【０００５】  実願２００５−２５６９の硬貨勘定器の計測用標識物は、黒ラインと白ラインが交互に描かれているだけなので、１０から遠ざかる硬貨５枚目位になると、瞬時に枚数を判断することができない。
本考案の硬貨勘定器の場合、端数が６枚の場合、５枚までの模様は、一組となっているのですぐ５枚目の位置がわかり、それに１ライン多いだけなので、瞬時に６枚と読みとれる。
実願２００５−２５６９は、硬貨６枚の場合、数えるラインは、黒白黒白の４本のラインであり、読みちがいで間違いもおこりやすく、目への負担も大きく、迅速に勘定できない場合も多くなる。
本考案は、それらの欠点をなくし、機能アップするものである。
【考案を実施するための最良の形態】
【０００６】  コの字形の如く相対する２辺を有し、１辺が他の１辺より短くしてあり辺の先端をとがらせた硬貨勘定器において、２辺の間に、均等巾の１０本のラインを２辺に平行して描いた計測用標識物を設ける。
長辺よりかぞえて５本分、つまり上半分であるが、この上半分の模様地帯と、長辺からかぞえて６本目から１０本目まで、つまり下半分の模様地帯とにわける。
２つの模様地帯の模様は、異る模様とする。
このように５本目ラインと６本目ラインとで模様が、がらりと変えると硬貨５枚目の位置６枚目の位置は、一目でわかるので端数勘定が早くなる。
仮に１０の半分は５だからと上から５本目のところだけを他と異る模様とした場合、そのラインをはさんで上は４本のライン、下は５本のラインとなってしまい、半分半分には仕切れない。それは、ラインの数が偶数であるからで、偶数のラインの時は、まん中のラインを見いだすことはできない。従ってライン１本で上下均等に分けることはできない。
上半分の１組の模様地帯と下半分の１組の模様地帯の組模様を変えることにより硬貨４枚、５枚、６枚は瞬時に読みとれ、７枚もそれらと大差なく、楽に読みとれ、目の負担も大きくない。
【実施例１】
【０００７】  長辺（１）と先端のとがった短辺（２）の間に計測用標識物（３）を設ける。
計測用標識物（３）には、２辺に平行で均等巾のラインを１０本描き、それに対し模様を描く、長辺（１）よりかぞえて、５本までを、黒ライン（４）と白ライン（５）を交互に描く、長辺（１）よりかぞえて、６本目、８本目、１０本目を白の方形の連続ライン（６）に描く、７本目、９本目は、黒塗りの方形と白の方形の連続ライン（７）とする。
このようにすると計測用標識物（３）の上半分と下半分は、異る模様地帯となる。
この結果、硬貨４枚、５枚、６枚のときでも、模様と硬貨を照し合わせて、瞬時に４枚か５枚か６枚か判断できる。９枚、８枚、７枚も苦労せずに読みとることができる。
【実施例２】
【０００８】  実施例１の硬貨勘定器の計測用標識物（３）の上半分の白ラインを緑色に塗り、緑ライン（８）とする。下半分については、白の方形の連続ラインの白の部分を赤く塗り、黒枠で赤塗りの方形の連続ライン（９）とし、黒塗りの方形と白の方形の連続ラインの白の部分を赤く塗り、黒塗りの方形と黒枠で赤塗りの方形の連続ライン（１０）とする。
このように上半分の色彩と下半分の色彩を変えることで、実施例１以上の効果、より見やすいこととなる。
【図面の簡単な説明】
【０００９】
【図１】  本考案実施例１の斜視図
【図２】  本考案実施例１の使用状能の正面図
【図３】  本考案の実施例２の斜視図
【符号の説明】
【００１０】  １  長辺
２  短辺
３  計測用標識物
４  黒ライン
５  白ライン
６  白の方形の連続ライン
７  黒塗りの方形と白の方形の連続ライン
８  緑ライン
９  黒枠で赤塗りの方形の連続ライン
１０  黒塗りの方形と黒枠赤塗りの方形の連続ライン
１１  装飾模様
【図１】
0003115953.tif 000003
【図２】
0003115953.tif 000004
【図３】
0003115953.tif 000005
(57)【要約】      （修正有）【課題】ファイルした書類を保存する必要が出た場合は、とじ紐で書類をとじるが、とじ具をはずすと、書類が動きやすくなり、孔の位置がずれてしまい、孔に紐が通らなくなる問題を解決する。【解決手段】とじ具4に溝7を作り、紐6を溝7に差し込み、とじ具4を引き抜くと紐6も同時に孔5を通って、紐6が反対面に出てくる。そこで、溝7から紐をはずし、紐6の両端部を結べば、資料の束を容易に作成できるようにした。【選択図】図３
0003115955.tif 000002
【実用新案登録請求の範囲】
【請求項１】
ファイルのとじ具において、芯材の長手方向に溝をつけた構造を有するもの。
【請求項２】
ファイルのとじ具において、直径2.5ｍｍ乃至3.5ｍｍの芯材の長手方向に1.0ｍｍ乃至2.0ｍｍ幅、深さ3.0ｍｍ乃至10.0ｍｍの溝をつけた構造を有するもの。
【考案の詳細な説明】
【技術分野】
【０００１】
本発明は、書類の保存とじ具に関するものである。
【背景技術】
【０００２】
オフィス等で一般書類を多量に収納するため、図1に示すようなとじ具1を書類と一緒に引き抜けば、中途からでも抜き差しが簡単にできるものがある。
【特許文献１】特願平7-183548
【特許文献２】特願平8-505638
【特許文献３】特願2002-61134
【考案の開示】
【考案が解決しようとする課題】
【０００３】
従来、図1に示すようなファイルにおいて、書類が溜まり、それ以上書類が収納できなくなったときは、不要の書類を廃棄していくが、どうしても廃棄できない書類が多く、書類を保存する必要が出た場合は、一旦、とじ具と一緒に書類を引き抜き、そっととじ具をはずし、図2に示すように書類にあけた孔5に紐6を通して、紐を結んで保存用書類を作成することが行われているが、このとき、書類が動くと、孔の位置がずれてしまい、孔に紐が通らなくなるトラブルが発生する。本考案はこの問題を解決することが課題である。
【課題を解決するための手段】
【０００４】
本考案はとじ具1に図3のような溝7を作り、とじ具4ごと書類をファイルからはずした後に紐6を溝7に差し込み、とじ具1を引き抜くととじ具の溝にはめた紐6も同時に孔5を通って、紐6が反対面に出てくる。そこで、溝7から紐をはずし、紐6の両端部を結べば、資料の束を容易に作成できる。
【考案の効果】
【０００５】
本考案は、ファイルされた書類を簡単に保存用書類にすることができるため、そっととじ具をはずし、書類が動かないように、気を使うことから開放されるとともに、保存用資料の束を効率よく作業することが可能となる。
【考案を実施するための最良の形態】
【０００６】
紐の太さは2.5ｍｍ乃至3.5ｍｍがよく用いられるため、溝4は1.0ｍｍ乃至2.5ｍｍにする必要があり、とじ具1の太さは、溝4を考慮し、さらに、強度面を考慮すると2.5ｍｍ乃至3.5ｍｍすることが最適である。
【実施例１】
【０００７】
図３に示すように2.7ｍｍΦの芯材に溝幅を1.5ｍｍ、深さ3.5ｍｍで溝（番号）を作る。保存用資料を作るときは3.0ｍｍ、長さ42ｍｍの紐を、図３のように溝（番号）に紐を挟み、とじ具を引き上げると、紐が孔を通って裏から面へ容易に出てくる。その後、溝（番号）に挟んだ紐を溝から引き抜き、紐の両端を結ぶと図２Ｃに示すような保存用資料の束が出来る。
ファイルのとじ具において芯材を、直径2.5ｍｍ以下にすると溝部の紐を保持する側面の強度が弱くなり、3.5ｍｍ以上になるとファイルとじ具自体の強度は強くなるが資料にあける孔が大きくなりすぎる。
【０００８】
溝幅は1.0ｍｍ以下では紐を溝に入れるのに入れにくくなり、2.0ｍｍ以上になると紐を保持する力が弱くなって作業中に溝から外れる危険性が高まる。
【０００９】
溝の深さは3.0ｍｍ以下になると紐を保持する力が弱くなって作業中に溝から外れる危険性があり、また、10.0ｍｍ以上になると紐を溝から外しにくいという欠点が出てくる。
【図面の簡単な説明】
【００１０】
【図１】ファイルの外観およびとじ具
【図２】資料束の作り方
【図３】本発明のとじ具
【符号の説明】
【００１１】
１  ファイル本体
２  とじ具（雄側）
３  とじ具（雌側）
４  雄側とじ具の芯材
５  書類の孔
６  紐
７  雄側とじ具の芯材の先端部形状
【図１】
0003115955.tif 000003
【図２】
0003115955.tif 000004
【図３】
0003115955.tif 000005
【手続補正書】
【提出日】平成17年8月29日(2005.8.29)
【手続補正１】
【補正対象書類名】実用新案登録請求の範囲
【補正対象項目名】請求項１
【補正方法】変更
【補正の内容】
【請求項１】
ファイルのとじ具において、ファイルのとじ具に挿入される芯材の長手方向に溝をつけた構造を有する書類の保存とじ具。
【手続補正２】
【補正対象書類名】実用新案登録請求の範囲
【補正対象項目名】請求項２
【補正方法】変更
【補正の内容】
【請求項２】
ファイルのとじ具において、ファイルのとじ具に挿入される芯材の直径が2.5ｍｍ乃至3.5ｍｍで長手方向に1.0ｍｍ乃至2.0ｍｍ幅、深さ3.0ｍｍ乃至10.0ｍｍの溝をつけた構造を有する書類の保存とじ具。
(57)【要約】      （修正有）【課題】風、雨の中、小動物や鳥や猫にも、電極の誤作動がない防犯、転落防止用の警報装置を提供する。【解決手段】格子部、泥棒返し、に応力が掛かると歪が出、格子部、泥棒返し部の先端が電極に接触し電極リード線を通り通電し警報が出る仕組みである。用途に応じ下フレームの時と四面フレーム型と色々な形状の物に対応が出来又色々な物を作る事が出来る。現在あるフェンス、ブロック塀、垣根、テスリベランダ等の上に取付することが出来る。【選択図】なし【実用新案登録請求の範囲】
【考案の詳細な説明】
通常フェンスの用な形状であるが、風．雨の中、小動物や鳥や猫にも、電極に誤動作をしない為、ある程度の力で作動する。
防犯、進入．転落防止用として警報を発し知らす装置である。
図面のＡ．Ａ断面は、イ．ロ．ハ．ニ方式により、どれでも使える用にします。
用途、マンション．学校．他危険な場所に個々に区別し取付すれば進入した個所の解る用に設置出来る。
図▲１▼外フレーム、下フレーム
図▲２▼格子及び泥棒返しの用な物、丸物、角物先端の尖った物を付け猫．鳥．風に強度を持たした物。
図▲３▼絶縁材
図▲４▼電極部．丸穴．角穴にし通電しやすくする。
図▲５▼フレームとの取付、ボルト止か溶接止他。
図▲６▼電極リード線。
図▲７▼電極リード線。
図▲８▼防犯進入．転落防止装置の取付穴。
図▲９▼リード線出入口穴自由に風．雨に見えにくい場所に明ける。
0003115907.tif 000002
0003115907.tif 000003
0003115907.tif 000004
0003115907.tif 000005
【手続補正書】
【提出日】平成16年6月21日(2004.6.21)
【手続補正１】
【補正対象書類名】実用新案登録請求の範囲
【補正対象項目名】全文
【補正方法】変更
【補正の内容】
【書類名】                実用新案登録請求の範囲【請求項１】防犯、進入、転落防止を金属の歪、応力により作動各部署で警報を出す仕組。進入とは学校、ＪＲの線路内、空港他立入出来ない危険な場所他に使用。【手続補正２】
【補正対象書類名】明細書
【補正対象項目名】全文
【補正方法】変更
【補正の内容】
【考案の詳細な説明】
【０００１】通常フェンスの用な形状であるが風、雨の中、小動物や鳥や猫にも、電極に誤動作をしない為、外フレーム、下フレームが格子部とある程度の力で歪作動する。
【０００２】防犯、進入、転落防止用として警報を発し知らす装置である。
【０００３】図面のＡ．Ａ断面は、イ．ロ．ハ．ニ方式により、どれでも使える用にします。
【０００４】用途、マンション、学校、他危険な場所に個々に区別し取付すれば進入した個所の解かる用に設置できる。
【図面の簡単な説明】
【図１−図６】
▲１▼−▲２▼周囲に▲１▼のフレームがあり適当な間隔をあけて▲２▼格子部を取付▲１▼フレーム内にある▲４▼電極部と▲２▼の格子部に力がかかると▲２▼格子部と▲４▼電極部が接触し通電警報を出す。▲３▼下部に▲１▼フレームがあり▲１▼フレーム内に▲４▼電極が取付▲２▼格子部を▲１▼フレーム内▲４▼電極に接触しない用▲５▼フレームとの取付ボルト止か溶接止しておく。▲２▼の格子部に力がかかると▲２▼格子部と▲４▼電極部が接触し通電警報を出す。▲６▼電気配線図。
【符号の説明】
▲１▼外フレーム、下フレーム▲２▼格子及び泥棒返しの用な物、丸物、角物先端の尖った物を付け猫、鳥、風に強度を持たした物。人などが格子を捕まえて進入しょうとすれば格子部に応力がかかり電極部に接触し通電する。▲３▼絶縁材▲４▼電極部、丸穴、角穴にし通電しやすくする。▲５▼フレームとの取付、ボルト止か溶接止他▲６▼電極リード線。▲７▼電極リード線。▲８▼防犯進入、転落防止装置の取付穴。▲９▼リード線出入口穴自由に風、雨に見えにくい場所に明ける。
【手続補正３】
【補正対象書類名】図面
【補正対象項目名】全図
【補正方法】変更
【補正の内容】
【図１】
0003115907.tif 000006
【図２】
0003115907.tif 000007
【図３】
0003115907.tif 000008
【図４】
0003115907.tif 000009
【図５】
0003115907.tif 000010
【図６】
0003115907.tif 000011
【手続補正書】
【提出日】平成17年1月27日(2005.1.27)
【手続補正１】
【補正対象書類名】実用新案登録請求の範囲
【補正対象項目名】全文
【補正方法】変更
【補正の内容】
【実用新案登録請求の範囲】
【請求項１】
外枠があり、その外枠の片方内側に格子部をある程度の間隔で固定し、反対内側に電極と絶縁材を固定し、格子部と電極を少し隙間をあけ取り付け、電極よりリード線を出し、先端を警報装置に接続し、格子部に他の力が掛ると格子部と電極の隙間がなくなり、警報が鳴る警報装置。
(57)【要約】      （修正有）【課題】密閉型容器等を持つことなく、ポンプ内から送り出された潤滑剤等を霧状にし、必要に応じて必要箇所に最適時間噴霧するスプレー塗布装置を提供する。【解決手段】密閉型容器に代わり、混合弁とチェック弁を使用し、エアーの圧力を変える事により、霧の拡散量を自由に変えるようにする。また、制御装置を併用する事により、必要に応じて必要箇所に必要時間噴霧するスプレー塗布装置を提供する。【選択図】図１
0003115909.tif 000002
【実用新案登録請求の範囲】
【請求項１】
密閉型容器にかえ混合弁とチェック弁を使用し、混合弁に潤滑剤等と、エアーを送り込む事により、霧を発生させることを特徴とするスプレー塗布装置。
【請求項２】
請求項１に、調整用バルブを設ける事により潤滑剤等の量、霧の拡散量を容易に変える事が出来るスプレー塗布装置。
【請求項３】
請求項１に制御装置を追加する事により、スプレーする時間およびタイミング調整等を容易に変えられることが可能としたスプレー塗布装置。
【考案の詳細な説明】
【技術分野】
【０００１】  本考案はスプレー塗布に関し、特に沈降し易く又，長期間停止後は下に固り易い特性の軟質固形潤滑剤等と水等の混合液を常に簡単に噴霧出来る、スプレー塗布装置に関するものである。
【背景技術】
【０００２】  従来、潤滑剤等は密閉型容器を使用し容器内に圧力をかけ霧状にして、必要箇所に潤滑剤等を噴霧していたが、密閉型容器を使用するため常時攪拌の必要なものに対しては使用出来ないと言う欠点があった。
また、潤滑剤等を補充する時は、機械を止めて行わなければならなかった。
【考案の開示】
【考案が解決しようとする課題】
【０００３】  上記従来の噴霧等では、密閉型容器を使用するため常時攪拌の必要なものに対しては使用出来ないと言う欠点があった。  本考案は、上記従来の問題にいどみ、密閉型容器等を持つことなく、噴霧するスプレー塗布装置を提供することを目的とする。
【課題を解決するための手段】
【０００４】  本考案のスプレー塗布装置は、混合弁とチェック弁を使用し、混合弁に潤滑剤とエアーを送り込みエアーの圧力を変える事により、霧の拡散量、箇所を自由に変えることが出来るスプレー塗布装置である。【０００５】  上記のスプレー塗布装置に制御装置を併用する事により、必要に応じて必要箇所に必要時間噴霧するスプレー塗布装置である。
【考案の効果】
【０００６】  本考案のスプレー塗布装置によれば、沈降して固まると言う特性を持っている軟質固形潤滑剤等を容易に噴霧可能とした。【０００７】  本考案のスプレー塗布装置は、密閉型容器等を必要としないので生産ラインを停止する事なく、容易に加工油の補充が出来る。本考案のスプレー塗布装置は、スプレーチューブを引く事によりあらゆる箇所で使用可能なスプレー塗布装置である。
【考案を実施するための最良の形態】
【０００８】  以下、本考案のスプレー塗布装置の、一実施形態を図面に基づいて説明する。【０００９】  図１に、本考案のスプレー塗布装置の一実施例を示す。【００１０】  図１の混合弁へ潤滑剤Ａと、エアーＢを送り込む事により供給先へ噴霧出来る。【００１１】  ３のバルブと  ４のバルブの流量を変える事により拡散噴霧量が変えられる。【００１２】  ２のバルブと  ５のバルブを制御する事により必要時間噴霧する事が出来る。
【図面の簡単な説明】
【００１３】
【図１】本考案のスプレー塗布装置の、一実施例を示し、拡散スプレー出来る断面図である。
【符号の説明】
【００１４】１  チェック弁
２  電磁弁
３  調整用バルブ
４  調整用バルブ
５  電磁弁
Ａ  ポンプ等よりの潤滑剤
Ｂ  エアー
Ｃ  供給先へのスプレー管
【図１】
0003115909.tif 000003
【手続補正書】
【提出日】平成16年11月25日(2004.11.25)
【手続補正１】
【補正対象書類名】実用新案登録請求の範囲
【補正対象項目名】全文
【補正方法】変更
【補正の内容】
【実用新案登録請求の範囲】
【請求項１】
ブロック等の下側に入口方向から出口方向までの穴を通す、その穴に別方向から穴を出口付近でつないでいる混合弁、混合弁の別方向からの穴にポンプ等から送り出された潤滑剤等を流し込む、入口方向からはエアーを送り込む事により出口方向から霧を発生させる事を特徴とする、スプレー噴霧装置。
密閉型の容器を持つ事なく、開放型の容器等の潤滑剤等をポンプ等により、混合弁の穴に送り込み、下側の入口方向からの穴よりエアーを送り込む事により、混合弁の排出口より霧となって排出される事を特徴とする、スプレー噴霧装置。
【請求項２】
請求項１に、調整用バルブを設ける事により潤滑剤の量、霧の拡散量を容易に変えられるスプレー噴霧装置。
【請求項３】
請求項１に制御装置を追加する事により、噴霧する時間およびタイミングを調整することを可能としたスプレー噴霧装置。
【手続補正書】
【提出日】平成17年4月20日(2005.4.20)
【手続補正１】
【補正対象書類名】実用新案登録請求の範囲
【補正対象項目名】全文
【補正方法】変更
【補正の内容】
【実用新案登録請求の範囲】
【請求項１】
密閉型の容器を持つ事なく、混合弁の下側に入口方向から出口方向までの穴を通し、上方向から穴を出口付近でつないでいる混合弁に、開放型の容器等の潤滑剤等をポンプ等により上方向の穴に送り込み、下側の入口方向からの穴よりエアーを送り込む事により、混合弁の排出口より霧となって排出される事を特徴とする、スプレー噴霧装置。
【請求項２】
請求項１に、調整用バルブを設ける事により潤滑剤の量、霧の拡散量を容易に変えられるスプレー噴霧装置。
【請求項３】
請求項１に制御装置を追加する事により、噴霧する時間およびタイミングを調整することを可能としたスプレー噴霧装置。
(57)【要約】      （修正有）【課題】コンセントの過電流からの保護構造を提供する。【解決手段】主にコンセントの接点３３、３４は対称を呈する固定台１３、１４及び温度感知作用を具える双金属片３で、該双金属片３は該固定台１３、１４に対応し固定孔３１１、３２１を設置し、該双金属片３は該固定孔３１１、３２１により該固定台１３、１４に固定される。該双金属片３の接点３３、３４が通電を形成することにより、コンセントを使用する電気製品に過電流の現象が発生し温度が上昇すると、該双金属片３は温度上昇により接点３３、３４が跳ね上がり、電源を切断し過電流からの保護を達成する。また温度が安全な範囲まで下がると、該双金属片３は温度を感知し自動的に接点３３、３４の通電を回復する。【選択図】図２
0003115904.tif 000002
【実用新案登録請求の範囲】
【請求項１】
コンセントの接点は対称を呈する固定台及び双金属片で、該双金属片の両端はそれぞれ該２個の固定台に接続、固定し、これにより該双金属片は通電を形成し、
電気製品が過電流となると、該双金属片は温度上昇により接点が跳ね上がり離脱し電源を遮断し、過電流からの保護を達成することを特徴とするコンセントの過電流からの保護構造。
【考案の詳細な説明】
【技術分野】
【０００１】
本考案は一種のコンセントの過電流からの保護構造に関する。特に一種のコンセントに使用する電気製品が過電流である時、電源を遮断し、電気製品の損傷を防ぎ、また自動的に接点の通電を回復することができるコンセントの過電流からの保護構造に係る。
【背景技術】
【０００２】
公知のコンセントは図１に示すように、コンセント本体１内に分離した対称接触弾力片１１を設置し、該接触弾力片１１において電源を挿入接続する電源導入片１２を連接する。これにより、電源コードは該電源導入片１２に挿入接続され、次に上蓋２を蓋合し、電気製品のプラグを該接触弾力片１１に挿入することにより、電源を電気製品に供給可能となる。しかし該公知のコンセント構造は、総電源端に過電流からの保護器があるだけで、保護構造を具えない。そのため、室内部分の回路上の電気製品の電流が過電流である時、回路の一部とコンセントの温度は上昇し、ひどい場合には電気製品の損害を招き、或いは電線が火を噴くなどから火災が発生する恐れがある。
【特許文献１】実開平３−４４８０号公報
【考案の開示】
【考案が解決しようとする課題】
【０００３】
公知構造には以下の欠点があった。
すなわち、公知のコンセント構造は、総電源端に過電流からの保護器があるだけで、保護構造を具えないため、室内部分の回路上の電気製品の電流が過電流である時、回路の一部とコンセントの温度は上昇し、ひどい場合には電気製品の損害を招き、或いは電線が火を噴くなどから火災が発生する恐れがある。
本考案は上記構造の問題点を解決したコンセントの過電流からの保護構造を提供するものである。
【課題を解決するための手段】
【０００４】
本考案のコンセントの過電流からの保護構造は、コンセントの使用時に電機製品が過電流となると電源を遮断し、過電流からの保護を達成するものであって、
請求項１に記載するように、コンセント上の接点は対称を呈する固定台で、該固定台にはネジ孔及び双金属片を設置し、該双金属片は該固定台のネジ孔に対応し固定孔を設置し、該双金属片は該固定孔により該固定台において固定され、
コンセントが電源に接続すると、該双金属片は通電を形成し、電気製品が該コンセントに挿入される時、過電流の現象が発生すると、該双金属片の接点は温度上昇により跳ね上がり離脱し、電源の切断を構成し、電気製品の電流は遮断され、過電流からの保護を達成し、温度が安全な範囲まで下がると、自動的に通電状態を回復することを特徴とする。
【考案の効果】
【０００５】
上記のように、本考案はコンセントに双金属片を設置することにより、コンセントに接続する電気製品が過電流により温度が上昇すると、該双金属片の接点は跳ね上がり離脱し電源を切断する。これにより、電気製品に電力は供給されず、こうして電気製品が過電流により損害を受けることを防止し、すなわち保護する作用を達成する。しかも、継続した過電流が引き起こす温度上昇とそれによる災害の発生を防止することができる。さらに温度が安全な範囲まで下降すると、該双金属片は自動的に通電状態を回復する。
【考案を実施するための最良の形態】
【０００６】
図２、３に示すように、本考案は公知のコンセント本体１、双金属片３を設置し、該コンセント本体１内に接触弾力片１１を設置する。これにより、該接触弾力片１１は対称を呈する固定台１３、１４に接続し、該固定台１３、１４にはネジ孔１３１、１４１を形成する。
該双金属片３の一端には水平に延伸する片体３１を設置し、該片体３１には固定孔３１１を設置する。反対端には下向きに湾折し、該片体３２の湾折部分には別に固定孔３２１を設置する。これにより、該双金属片３は該固定台１３、１４に設置され、該固定孔３１１、３２１により該ネジ孔１３１、１４１に固定され、該双金属片３はコンセント内に固定される。
【０００７】
コンセントが電源に接続されると、電源は該双金属片３の接点３３、３４より通電し、電気製品に必要とする電力を供給する。該電気製品に異状が発生し過電流の現象が起きると、該双金属片３においては、負荷が招く温度上昇により該接点３３、３４は跳ね上がり離脱し、電源を中断する。これにより、電気製品に電力は供給されず、こうして電気製品が過電流により損害を受けることを防止し、すなわち保護する作用を達成する。しかも、継続した過電流が引き起こす温度上昇とそれによる災害の発生を防止することができる。
【０００８】
次に図４に示すように、本考案の双金属片３一端には接点３３、３４を設置するが、電源が該片体３１、３２から通電するため、過電流で温度が上昇すると、該双金属片３は温度上昇を感知し変形する。これにより該接点３３、３４は接触せず離脱状態を形成する。こうして、該片体３１、３２に通電する電源は切断され、コンセントには電源が流れなくなり、過電流からの保護の効果を達成する。
【０００９】
続いて図５に示すように、本考案双金属片３の別種の実施例では、該片体３１、３２は垂直に延伸し設置され、該固定台１３、１４に対応し該固定孔３１１、３２１を該ネジ孔１３１、１４１に固定し、該双金属片３をコンセント内に固定する。
さらに温度が安全な範囲まで下がると、該双金属片３は自動的に通電状態を回復する。
【図面の簡単な説明】
【００１０】
【図１】公知のコンセントの構造図である。
【図２】本考案の立体図である。
【図３】本考案の立体分解図である。
【図４】本考案の双金属片の動作実施例図である。
【図５】本考案の双金属片を設置する別種の実施例図である。
【符号の説明】
【００１１】
１  コンセント本体
１１  接触弾力片
１２  電源導入片
２  上蓋
１３  固定台
１３１  ネジ孔
１４  固定台
１４１  ネジ孔
３  双金属片
３１  片体
３１１  固定孔
３２  片体
３２１  固定孔
３３  接点
３４  接点
【図１】
0003115904.tif 000003
【図２】
0003115904.tif 000004
【図３】
0003115904.tif 000005
【図４】
0003115904.tif 000006
【図５】
0003115904.tif 000007
(57)【要約】      （修正有）【課題】確実に異種金属接触腐食が抑えられ、管の延命に大きな効果が得られる絶縁性持ち出しソケットを提供する。【解決手段】必要条件としては温度１２０℃に耐え、また機械特性（引張強さ（２３℃）６００ｋｇｆ／ｃｍ２＝６１．２Ｍｐａ）を有する。材質としては、ポリカーボネート及びポリ・エーテル・サルフン等を使用することによって、衛生上、強度、施工性の問題を解決し、管の腐食による延命が大幅に改善される。【選択図】図３
0003115910.tif 000002
【実用新案登録請求の範囲】
【請求項１】
蛇口栓と配管間の接続に耐絶縁性、耐強度性を有する持ち出しソケットを用いることにより、前記の持ち出しソケットと配管間の異種金属接触腐食を防止する絶縁性持ち出しソケット
【考案の詳細な説明】
【技術分野】
【０００１】本考案は、給水・給湯用蛇口栓と配管の接続において、黄銅製持ち出しソケットを介して接続されるが、この持ち出しソケットを絶縁性の有するソケットに替えることで両者間の異種金属接触による腐食の防止と耐強度性を有する絶縁性持ち出しソケットに関するものである。
【背景技術】
【０００２】給水、給湯用配管設備において、蛇口栓１と給水・給湯配管３の接続には、図−１に示すように持ち出しソケット２を介して接続されている。
この持ち出しソケットは蛇口栓と配管側のエルボ間の長さ調整つなぎ部材として使われている。エルボ継ぎ手部分は隠蔽もしくは壁の中にある。材質としては、蛇口栓１は黄銅製、持ち出しソケット２は黄銅製、配管側エルボは鋼製３である。又は持ち出しソケットに鋼製２の場合もある。前記の接続において、黄銅製の持ち出しソケット２の場合はエルボ３（鋼製）とは異種金属の材質であるため、鋼製エルボ側３が腐食する。また持ち出しソケット自体２が鋼製の場合は、持ち出しソケット２自体が蛇口栓１間の異種金属の材質となり、鋼製の持ち出しソケット２が腐食する。いづれにしても経年により蛇口栓付近から漏水修理や取り替え工事となると、壊しやはつり工事を行わねばならず、大工事となる。メンテンナスとしては約１０数年毎に、この部分の点検により、回収工事が行われてきた。
【考案の開示】
【考案が解決しようとする課題】
【０００３】これらの腐食対策としては、既設設備配管に限られるが、次の課題が挙げられる。
（イ）蛇口栓と配管間に絶縁体を挿入することが考えられる。
この種の対策には図−２に示すように、市販の絶縁継ぎ手金具４の利用が考えられるが、これらの継ぎ手を利用すると蛇口栓部分１が壁面から７〜８ｃｍ飛び出し、落ち着きが悪くなるので実際に利用できない。
（ロ）無理に市販の絶縁継ぎ手４を使用とすると、途中に全ねじの単管５と絶縁継ぎ手金具４の組み合わせの接続となるので、実際の施工では単管５のねじ込み作業や取り外しができにくい問題点がある。
また、やむを得ず市販の絶縁継手４を使用するには壁面をはつりして、絶縁性エルボ５に取り替えとなり、大工事となる。改修工事おいても容易に絶縁処理ができるための配管設備に適した專用の絶縁性持ち出しソケットが必要である。
【問題点を解決するための手段】
【０００４】持ち出しソケット自体の材質を耐絶縁性と耐強度性を有する樹脂製とすることによって、蛇口栓と配管間の絶縁と施工が容易になる。
本考案は持ち出しソケット自体の材質としては温水環境に耐えることまた、取付けするための作業強度に耐える必要性から、必要条件としては温度１２０℃に耐え、また機械特性（引張強さ（２３℃）６００ｋｇｆ／ｃｍ２＝６１．２Ｍｐａ）を有することが必要である。代表的な樹脂の材質としては、ポリカーボネート及びポリ・エーテル・サルフン等を使用することによって、衛生上、強度、施工性の問題を解決し、管の腐食による延命が大幅に改善される。
【考案の効果】
【０００５】本考案により蛇口栓部分の異種金属接触腐食が完全に抑制され、また壁面から６〜７ｃｍ蛇口栓が飛び出さず収まりが良く、回収工事及び新設工事に良好な作業性が発揮できた。
【考案の実施するための最良の形態】
【０００６】以下、本考案の実施の形態につて説明する。
これまで、持ち出しソケッ自体が絶縁性持ち出しソケットのものがなかった理由としては、強度的に黄銅製と同等の強度の確保が必要で、ソケット部材の肉厚を確保し、しかも水圧に対しても、また流量を確保することが必要である。
これらを対象として水栓部分は洗濯場、トイレ、流し台、風呂場があり、安価に取り替えができることが要望されている。
（イ）形状
形状寸法は図−３に示すように絶縁性持ち出しソケット６の蛇口側１、エルボ側３を表−１に示す。エルボ側内孔は六角形一辺が６．３ｍｍ，断面積０．７８５ｃｍ２（管径としてφ１０ｍｍ相当）として、エルボ側から締め付け用工具が挿入できる形状としている。
0003115910.tif 000003
（ロ）材質と特性
0003115910.tif 000004
（ハ）衛生性
ポリカーボネート材質としては、広く哺乳びん、ウオーターボトル、食器類、ミルクびん、食品貯蔵バケツ、カレール包装などに使用され、厚生省とＦＤＡの衛生試験に合格している。
（ニ）製品としては、通常用いられている持ち出しソケット呼び称３／４×１／２×１５、３／４×１／２×２０、３／４×１／２×２５の３種類に適合させるようポリカーボネート材質とし、蛇口栓側の外ねじφ２０、エルボ側外ねじφ２０とし、長さＬ＝２８，３３，３８ｍｍの３種類を標準とする。
【実施例】
【０００７】１０年経過した某マンションの各蛇口栓を外して、呼び称３／４×１／２×１５  長さ１＝３０ｃｍを既存の持ち出しソケットを絶縁性持ち出しソケットＬ＝２８ｍｍに取り替えした。その結果、これまで持ち出しソケット付近から発生している鉄サビが全くなく、絶縁抵抗３．５ＫΩが得られ完全に異種金属間の腐食が停止していることが確認できた。
【図面の簡単な説明】
【０００８】
【図１】既設蛇口栓と持ち出しソケット、エルボの接続図
【図２】絶縁継ぎ手金具接続図
【図３】絶縁性持ち出しソケットに取り付け要領図
【符号の説明】
【０００９】１  蛇口栓
２  持ち出しソケット
３  エルボ継ぎ手
４  絶縁継ぎ手
５  全ねじ単管
６  絶縁性持ち出しソケット
７  コンクリート
８  モルタル・ボード
９  配管
【図１】
0003115910.tif 000005
【図２】
0003115910.tif 000006
【図３】
0003115910.tif 000007
【手続補正書】
【提出日】平成16年12月20日(2004.12.20)
【手続補正１】
【補正対象書類名】実用新案登録請求の範囲
【補正対象項目名】全文
【補正方法】変更
【補正の内容】
【実用新案登録請求の範囲】
【請求項１】
配管に接続された金属製エルボ継手と金属製の蛇口栓とを樹脂製の持ち出しソケットで接続することを特徴とする蛇口栓と配管の接続構造。
(57)【要約】      （修正有）【課題】手を汚さずに作業できる柄を付けた排水溝のゴミ受けに関するものである。【解決手段】ゴミ受け（１）に柄（２）を設ける。これを使用する時は、柄（２）をにぎり、ゴミ受け（１）を下に向けて、ゴミ箱などに打ち付けると良い。手を汚さずに不快感を感じることなくゴミを捨てられる。【選択図】図１
0003115962.tif 000002
【実用新案登録請求の範囲】
【請求項１】
ゴミ受け（１）に柄（２）を設ける。
以上の如く構成された、排水溝のゴミ受け。
【考案の詳細な説明】
【考案の詳細な説明】
【技術分野】
【０００１】この考案は、柄をつけた排水溝のゴミ受けに関するもである。
【背景技術】
【０００２】従来、排水溝のゴミ受けのごみを手を汚さずに取るのは、ゴミ受けに穴のあいた粘着フィルムを貼るものだけであったが、粘着テープが水ではがれたり、ランニングコストがかかって不便だった。
【考案が解決しようとする課題】
【０００３】本案は、その欠点を除いて、排水溝のゴミ受けにたまったゴミに触れなくても、ゴミを捨てられるゴミ受けを開発しようとするものである。
【課題を解決するための手段】
【０００４】今その解決手段を図面に追いながら説明すれば、ごみうけ（１）に柄（２）を設ける。
以上の構成からなる排水溝のゴミ受けである。
【考案を実施するための最良の形態】
【０００５】本考案、以上のような構造であるから、これを使用する時は、柄（２）をにぎり、ゴミ受け（１）を下に向けて、ゴミ箱などに打ち付けると良い。手を汚さずにゴミを捨てられる。【０００６】なお、考案の実施にあたって次の如きことが出来る。
（イ）ごみうけ（１）と柄（２）の間にチョウツガイ（３）を設ける。
【考案の効果】
【０００７】したがって、ゴミ受けにたまったゴミにふれる不快感も感じることなく、ゴミを捨てられる排水溝のゴミ受けである。
【図面の簡単な説明】
【図１】本考案の斜視図
【符号の説明】
１．ゴミ受け
２．柄
３．チョウツガイ
【図１】
0003115962.tif 000003
(57)【要約】      （修正有）【課題】スキージ本体を横長にしシートの粘着面と裏紙を押し離すと同時にシートを貼り気泡、シワをできにくくする。【解決手段】スキージ本体１を横長にし、両手で押し貼りできるよう押さえつけ棒２をつけ、シート５と裏紙７を離させやすいように鋭角部分３を設け、スキージ本体１を押して裏紙６のはがしとシート５の貼りを同時に行うため気泡、シワができにくく、早く貼る事ができる。【選択図】図２
0003115966.tif 000002
【実用新案登録請求の範囲】
【請求項１】
スキージ本体の横幅を長くし四方を鋭角にし、押さえ棒を両手で押し、横ずらししながらシートの粘着面と裏紙を離すと同時にシートの貼れる鋭角度と押さえ付け棒のついた横長スキージ。
【考案の詳細な説明】
【考案の詳細な説明】
【技術分野】
【０００１】  本考案は四方が鋭角の貼り部を設け、押さえつけるのに力を入れやすくする為押さえ棒を付けた横長のスキージに関するものである。
【背景技術】
【０００２】  ガラス面、アクリル板等に粘着シートを貼る場合、スキージは片手で持ち、もう片方の手で裏紙を剥がしながら貼っていた。
【考案の開示】
【考案が解決しようとする課題】
【０００３】  片手で貼る短いスキージではシートの粘着面に付けてある裏紙をもう片方の手で、剥がしてから貼るため時間的負担であり、又、剥がした時ガラス面等貼る物にくっつきやすいのでシートに気泡が入るため美観を損なう。
従ってシートの粘着面と裏紙をスキージで押す事により離れさせ同時にシートを貼る事が可能になり前述の欠点を解消しようとするものである。
【課題を解決するための手段】
【０００４】  本考案は、スキージ本体の横幅を長くし、押し貼りが出来やすいように、四方に鋭角度をつけ、更に両手で持ち、押せるように押さえ付け棒をスキージ本体に付けることにより、シートの粘着面と裏紙との隙間を表から力を入れて押せるのでシートの粘着面と裏紙が離れると同時にシートを貼る事が出来るので、問題点を解決している。
【考案を実施するための最良の形態】
【０００５】  粘着シートと裏紙を少し剥がし、裏紙を折り、決め貼りをしてから横長スキージを表からシートに鋭角部分を当て、両手で持った押さえ付け棒に力を入れて、シートの粘着面と裏紙との隙間を表から押す事により、裏紙が剥がれると同時にシートも貼れる。四方段差のない平面ならシートの幅に合わせたスキージを用いれば一気に貼れる。又、四方段差のある場合は、シートより少し小さめのスキージで横ずらし、しながら押せば気泡が出来にくく、速く貼る事が出来る。
【実施例】
【０００６】  以下、添付図面に従って一実施例を説明する。１はプラスチック等適宣素材のスキージ本体、２は両手で押さえられ力を入れやすくするための押さえ棒で、３はシートの粘着面と裏紙を押して離れやすく、又、シートを貼りやすくするための鋭角度だが、シートの表面は傷つきやすいのでシートの表面５を守るための４布等のカバーを四隅鋭角部分に巻く。【０００７】  ５の粘着シートを貼るにあたって、平面（図３）であれば、粘着シート５と同じ大きさのスキージ１をシートの粘着面と裏紙７との隙間８の表面に布カバーつきの鋭角部分３を当てて押すと、裏紙７はシートの粘着面から離れ、同時にシート５は６アクリル等に貼れる。【０００８】  ９四隔縁のある場合（図４）は粘着シート５の幅より少し小さめのスキージ１で、横ずらしさせながら押し進めれば上述と同じく貼れる。
【考案の効果】
【０００９】  上述の様に、本考案の横長スキージは平面での仕様は勿論、ランマ等四隔縁のある所でも少し短めのスキージを用いれば貼れる。しかも、粘着シートの幅と近めの横幅にするため、スキージを押せば、粘着面と裏紙を離れさせると同時にシートを貼る事ができ、気泡、シワも出来にくいスキージとして役立つ。
【図面の簡単な説明】
【００１０】
【図１】  本考案の横長スキージの斜視図である。
【図２】  平面のアクリル等で使用しているところの斜視図である。
【図３】  縁のある場所での使用の斜視図である。
【符合の説明】
【００１１】  １  スキージ本体
２  押さえ付け棒
３  鋭角部分
４  カバー（布等）
５  粘着シート
６  裏紙
７  シートの粘着面と裏紙との隙間
８  アクリル等（貼る相手）
９  ランマ等の四隅の縁
【図１】
0003115966.tif 000003
【図２】
0003115966.tif 000004
【図３】
0003115966.tif 000005
(57)【要約】      （修正有）【課題】クレヨン、鉛筆、色鉛筆、パステル、水彩絵具等で書かれた絵を使ったジグソーパズルにおいて、遊ぶ際絵表面を触っても色が指、衣服等に付着しないようにしたジグソーパズル。【解決手段】紙１にクレヨン、鉛筆、色鉛筆、パステル、水彩絵具等２で書かれた絵を、ジグソーパズルにする前に表面を、蒸発乾燥型インキで特殊処理、コーティング３を施す。ジグゾーパズルで遊ぶ際、絵表面を触ってもクレヨン、鉛筆、色鉛筆、パステル、水彩絵具等の色が指、衣服等に付着しない。【選択図】図１
0003115967.tif 000002
【実用新案登録請求の範囲】
【請求項１】
クレヨン、鉛筆、色鉛筆、パステル、水彩絵具等で書かれた絵を使用し、絵の表面に蒸発乾燥型インキで特殊処理、コーティングを施し遊ぶ際描かれている色が指、衣服等に付着しないことを特徴とするジグゾーパズル。
【考案の詳細な説明】
【技術分野】
【０００１】  この考案は、クレヨン、鉛筆、色鉛筆、パステル、水彩絵具等で書かれた絵を使用しジグゾーパズルにし、絵の表面に蒸発乾燥型インキで特殊処理、コーティングすることによりジグゾーパズルで遊ぶ際描かれている色が指、衣服等に付着しないことに関する。
【背景技術】
【０００２】  絵は、図２に示すように、紙等１の表面にクレヨン、鉛筆、色鉛筆、パステル、水彩絵具等２で書かれた絵を使用したジグゾーパズルは、遊ぶ際描かれている色が指、衣服等に付着し汚れてしまう。
【考案の開示】
【考案が解決しようとする課題】
【０００３】  しかしながら、以上の技術によれば、クレヨン、鉛筆、色鉛筆、パステル、水彩絵具等で書かれた絵を使用したジグゾーパズルは、遊ぶ際描かれている色が指、衣服等に付着し汚れてしまう。そこで、この考案は、クレヨン、鉛筆、色鉛筆、パステル、水彩絵具等で書かれた絵を使用したジグゾーパズルで遊ぶ際描かれている色が指、衣服等に付着しないジグゾーパズルを提供することを課題とする。
【課題を解決するための手段】
【０００４】  以上の課題を解決するために、第一考案は、クレヨン、鉛筆、色鉛筆、パステル、水彩絵具等で書かれた絵の表面に蒸発乾燥型インキで特殊処理、コーティングを施しジグゾーパズルで遊ぶ際色が指、衣服等に付着しないことを特徴とする  ジグゾーパズルである。
【考案の効果】
【０００５】  第一考案によれば、クレヨン、鉛筆、色鉛筆、パステル、水彩絵具等で書かれた絵の表面に蒸発乾燥型インキで特殊処理、コーティングを施したので、ジグゾーパズルで遊ぶ際色が指、衣服等に付着しないジグゾーパズル。
【考案を実施するための最良の形態】
【０００６】  この考案の一実施形態を、図１に示す。
【図面の簡単な説明】
【０００７】
【図１】この考案の一実施形態を示す斜視図である。
【符号の説明】
【０００８】  １  紙等        ２  クレヨン、鉛筆、色鉛筆、パステル、水彩絵具等の顔料
３  特殊処理、コーティング
【図１】
0003115967.tif 000003
(57)【要約】【課題】  本考案はマフラーの首周りになる部分をポケットの状態になるように縫製し、その部分に保冷剤や携帯用カイロを入れることにより、首周りを冷やしたり温めたりする。【解決手段】  本考案はマフラーを巻いたときに首回りにくる部分をポケット状態に縫製し、その部分に保冷剤や携帯用カイロを入れることにより、首周りを冷やしたり温めたりすることができる。【選択図】    図１
0003115964.tif 000002
【実用新案登録請求の範囲】
【請求項１】
保冷剤又は携帯用カイロを入れるポケットつきマフラー
【考案の詳細な説明】
【技術分野】
【０００１】  本考案は、マフラーの真ん中部分にポケットをつくり、そこに保冷剤や携帯用カイロをいれることにより、体を冷ましたり温めたりすることができるマフラーに関するものである。
【背景技術】
【０００２】  従来のマフラーは、夏の日焼け対策、冬の防寒対策として布地の特徴のみを利用したものであった。そのためマフラーだけではもっと涼しく、あるいはもっと暖かくすることはできなかった。
【考案の開示】
【考案が解決しようとする課題】
【０００３】  夏にマフラーをまけば首まわりの日焼け防止対策にはなるがそれ以上の涼しさを感じることは出来ない。冬にマフラーを巻けば防寒対策になるがそれ以上の暖かさを感じることは出来ない。暑い時には涼しさを求め、寒い時には暖かさを求めたくなるがマフラーだけではまだまだ不十分である。従って、マフラーのポケットに保冷剤や携帯用カイロを入れることにより、首の後部を冷やしたり温めたりすることが出来、より快適な状態にすることが出来る。マフラーの内部に保冷剤や携帯用カイロをいれることにより前述の欠点を解決しようとするものである。
【課題を解決するための手段】
【０００４】  本考案は、マフラーの首周りになる位置をポケット状態にし、そこに保冷剤や携帯用カイロを入れることにより、従来のマフラーに比べ、涼しさや暖かさを感じることができるため、問題点を解決している。
【考案の効果】
【０００５】  上述のように、本考案のマフラーは夏は日焼け防止対策、冬は防寒対策になるのは勿論、首周りになる位置をポケット状態にしたことで、その部分に保冷剤や携帯用カイロを入れることにより、従来のマフラーより涼しさや暖かさを実感できる。
【考案を実施するための最良の形態】
【０００６】  脱着が簡単なのはシンプルなマフラーの状態のもので首回りの部分にポケットをつけたものである。他にも状況に応じたデザインがいろいろ考えられる。バンダナを首に巻いた場合に首周りの部分にポケットをつけることもできる。基本は首回りの部分に保冷剤や携帯用カイロを入れるポケットがあることである。
【実施例】
【０００７】  以下、添付図面に従って一実施例を説明する。マフラーの素材は用途に応じて適宜素材にて縫製する。
【図面の簡単な説明】
【０００８】
【図１】本考案のポケットつきマフラー。
【０００９】１  マフラー本体
２  スナップボタン、ファスナー、あるいはマジックテープなど。
【図１】
0003115964.tif 000003
(57)【要約】      （修正有）【課題】不審侵入者を刺股枠内に押し込めて身体の動きを制し身体を挾んで捕獲し逃走されない、又反撃されない為の構造と機能を有する刺股を提供する。【解決手段】自動捕捉刺股は杷持杆１の先端に固定ア−ム２及可動ア−ム３がＵ形状に構成され押し当て部の停止解除ボタン８、に接触し可動停止手段７が、はずれスプリング９が、連動して自動的に可動ア−ムが作動し、可動ア−ムの支点は、ラチェットギア−４の構造になっている為め反転出来なく締付け方向に回転し拘束者の動きを制し捕獲する。【選択図】図１
0003115969.tif 000002
【実用新案登録請求の範囲】
【請求項１】
自動捕捉刺股は、把持杆と刺股枠部にて構成されている刺股枠部の片方は、固定ア−ムになっている、もう片方の枠は可動ア−ムになっている、侵入者の身体を押え込みに入った時点で、停止解除手段ボタンに接触しフックが外れ、スプリングの作動により可動ア−ムが作動し、侵入者の身体を挾み込んで動きを制して、取り押える事が出来る、侵入者を挾み込んだ可動ア−ムの支点が、ラチェットギア式により一方に締まるだけで、反対方向には動かない構造になっている、拘束者が身体を動かせば段々締め付けて、動きを制して、可動後の状態が、維持されるように構成されている自動捕捉刺股。
【請求項２】
捕捉刺股枠にて押え込みに入って、解除手段ボタンに接触する直前でも刺股枠の中に入った時点で把持杆手元にある手動用取手１０を引く事によって可動ア−ムが、スプリングの作動により侵入者の身体を挾んで押え込む、請求項１に記載の刺股。
【考案の詳細な説明】
【技術分野】
【０００１】  本考案は、不審侵入者を自動的に動きを制して、捕捉する防犯セキュリテイグッズに関する。
【背景技術】
【０００２】  特許文献１に記載されている刺股は、圧縮空気の移動により両側より押出されて先端部で、接続結合し対象物を捕獲する刺股。侵入者が激しく抵抗することで、押えされた部材が変形したり先端部の結合部に「ズレ」が起き完全な接合が出来ず拘束者が逃走される。又、特許文献２に記載されている刺股は、捕獲ベルトで刺股ア−ムの中に捲着させ枢動ア−ムで、押え付け捕獲する刺股。侵入者を押え込みに入り侵入者は、ベルトにつかまり激しく抵抗する事で枢動ア−ムが作動してしまって侵入者を拘束出来ず逃走される。
特許文献３に記載されている刺股は、刺股の先端に付いた捕獲爪の作用で刺股内に捕らえ捕獲する刺股。
侵入者を捕獲しょうとする時に拘束、対象者は抵抗し刺股の両側先端についている捕獲爪につかまり枠内に押え込まれまいと激しく抵抗する事で刺股開閉ア−ムの機能が働くことが出来ずに拘束者に逃走される。【０００３】
【特許文献１】特開２００３−２５４６９７号公報
【特許文献２】特開２００４−３４３０５号公報
【特許文献３】特開２００４−３７１５号公報
【考案の開示】
【考案が解決しょうとする課題】
【０００４】  先願の各刺股は、把特杆の先端にＵ字形の刺股枠を付けて侵入者を押し当て、押え込んで手元のレバ−等の操作によって捕獲するもので拘束者が腕力の強い者の場合は、逆襲される危険がある本考案は、侵入者を取り押える点に問題があることを考えその点を解決するために考案したものである。
【課題を解決しょうとする手段】
【０００５】  本考案は、自動捕捉刺股を使い不審侵入者を自動刺股ア−ムで動きを制して取り押える。女性や非力な考えでも複数人で行動するのが効果を出せて理想的である。
把持杆はパイプにて長さは約２．０ｍと先端部の刺股Ｕ形状の枠の押し当て部で、構成される。
押し当て枠は、一方は固定ア−ム２にて堅固になっている一方が可動ア−ム３に構成されている。
可動ア−ムは、捕捉枠内の杆先端部Ｕ形部の中央に停止解除手段ボタン８を設けて捕捉体の接触によって、可動停止手段７が外れスプリング９が連動して、自動的に可動ア−ム３が作動し捕捉体を拘束する或は、手元の手動停止解除手段取手１０を引く事により自動と同じにスプリング９が、連動し侵入者を拘束する。
可動ア−ムの支点は、ラチェットギアの構造４になっている為、締付け側に回転し、反転は出来ない構造５で侵入者を押し付けたり倒したりせずに身体を挾んで捕捉して、絶対逃れられない、もがく度にスプリング９の作動により段々締め付けられる。
【考案の効果】
【０００６】  本刺股は、固定ア−ムと可動ア−ムの構成及、自動駆動手段と手動停止解除手段の両手段で構成されている捕捉ア−ムにて、侵入者の身体を一人は、上体を挾み込む他の一人は、両足を挾んで自由を制すことによって、取り押える事が出来る刺股を付けた状態で逃がれても簡単に解除する事は不可能で、解除には特定の鍵が必要である。
把持杆の手元よりロ−プ等にて、他の固定した物体に緊結してあれば、逃亡は出来なく応援を受けて捕獲する。
保育園、幼稚園、小中学校、病院、金融関係、警備会社、及び、警察関係、に常備用具として、女性及び非力な者でも効果が発揮出来る対象は、動物の捕獲にも適している。
【考案を実施するための最良の形態】
【０００７】  複数の者で、捕捉刺股を使うことが最良の効果がある。
一人は上半身を挾んで、動きを制して、他の人は下半身両足を挾むことによって完全に動きを止めて捕獲することが出来て非力な者や女性でも容易に安全に取り押えられる。
【実施例】
【０００８】  不審侵入者をＵ形刺股で、追え詰め刺股枠固定ア−ム２及可動ア−ム３の中に追い込み停止解除手段ボタン８に触れることによって、停止手段７が外れスプリング９が作動し、自動捕捉ア−ム２及可動ア−ム３が侵入者を挾み込んで捕獲する。又、枠の中に入りボタン８に触れる前でも手動取手１０を引くことによって、停止手段が外れスプリングが、作動し捕捉枠で挾み込んで捕獲する。
【図面の簡単な説明】
【０００９】
【図１】図１は、本考案の刺股の実施の形態の説明平面構造図である。
【図２】主要部の構造拡大図
【符号の説明】
【０００１０】  １  把特杆
２  固定ア−ム
３  可動ア−ム
４  ラチェットギア
５  爪
６  解錠穴
７  可動停止手段
８  停止解除手段ボタン（自動）
９  捕捉枠自動駆動手段
１０  停止解除手段取手（手動）
【図１】
0003115969.tif 000003
【図２】
0003115969.tif 000004